(57)【要約】【課題】設備コストが低廉な、異物の付着による塗装不良の発生が防止され、安定した塗装が可能な塗膜形成装置を提供する。【解決手段】本発明の塗膜形成装置は被塗装物５をその軸を鉛直方向に保持する被塗装物保持部と、内部に塗料を収納するとともに、被塗装物保持部により保持された被塗装物５を内側に通すための円形の切り欠き部６ａを備えて、下方へ移動しながら切り欠き部６ａ付近に位置する部分の被塗装物５の外側面に塗料を塗布する環状塗布ヘッドと、切り欠き部６ａに設けられて被塗装物５の被塗装面５ａを摺動し、切り欠き部６ａと被塗装面５ａとの間からの塗料７の漏出を防止するシール部１２と、環状塗布ヘッド６の動きに従動して被塗装物５の被塗装面５ａ全周を摺動しながら被塗装面５ａの異物を除去する、軟質部材からなる環状のブレード１３を環状塗布ヘッド６の下方に備えた異物除去部と、を備えた塗膜形成装置である。【選択図】図２
2008068236.tif 000002
【特許請求の範囲】
【請求項１】
円筒形状または円柱形状の被塗装物の外側の被塗装面に対して塗料を塗布して塗膜を形成する塗膜形成装置であって、
前記被塗装物をその軸を鉛直方向に保持する被塗装物保持部と、
内部に前記塗料を収納するとともに、前記被塗装物保持部により保持された前記被塗装物を内側に通すための円形の切り欠き部を備えて、下方へ移動しながら該切り欠き部付近に位置する部分の前記被塗装物の外側面に塗料を塗布する環状塗布ヘッドと、
前記切り欠き部に設けられて前記被塗装物の被塗装面を摺動し、前記切り欠き部と前記被塗装面との間からの塗料の漏出を防止するシール部と、
前記環状塗布ヘッドの動きに従動して前記被塗装物の被塗装面全周を摺動しながら該被塗装面の異物を除去する、軟質部材からなる環状のブレードを前記環状塗布ヘッドの下方に備えた異物除去部と、
を備えた塗膜形成装置。
【請求項２】
前記環状のブレードがフッ素ゴムからなることを特徴とする請求項１記載の塗膜形成装置。
【請求項３】
前記環状のブレードの被塗装物の被塗装面を摺動する摺動部が、軟質部材からなる板状部材を前記被塗装物の被塗装面の外径より小さい内径となるよう、該板状部材の面に対して垂直に切断されてなることを特徴とする請求項１または請求項２に記載の塗膜形成装置。
【請求項４】
前記環状のブレードの、被塗装物の被塗装面を摺動する摺動部付近の部分が粘着性を有していることを特徴とする請求項３に記載の塗膜形成装置。
【請求項５】
前記異物除去部が上記環状のブレードを複数備えていることを特徴とする請求項１ないし請求項４のいずれか１項に記載の塗膜形成装置。
【請求項６】
前記異物除去部の上記環状のブレードが脱着可能であり、かつ、該ブレードを所定の位置に装着可能とする位置決め機構が備えられていることを特徴とする請求項１ないし請求項５のいずれか１項に記載の塗膜形成装置。
【請求項７】
前記ブレードに付着した異物を除去するブレード異物除去手段が備えられていることを特徴とする請求項１ないし請求項６のいずれか１項に記載の塗膜形成装置。
【発明の詳細な説明】
【技術分野】
【０００１】
本発明は、無端状ベルト形状物を含む円筒形状、および、円柱形状の基体への塗膜形成を行うための塗膜形成装置に関する。
【背景技術】
【０００２】
電子写真の原理に基づく複写機、および、プリンタにおいて、トナーによる未定着画像を有する用紙を加圧しながら加熱することによってトナーを溶融して用紙に定着させる定着プロセスが存在する。
【０００３】
このような定着プロセスで用いられる定着ローラあるいは定着ベルトなどの定着部材として、基材上に耐熱性ゴム（シリコンゴム）による弾性層（１００〜３００μｍ程度）を形成した上に、プライマ（接着剤）を塗布して、離型層（フッ素樹脂）を２０〜３０μｍ程度形成したものが用いられる。
【０００４】
従来、このような離型層を形成するための工法としてはスプレーコーテイング塗装が考えられ、一般的に用いられてきた。しかし、スプレーコーティングは塗着効率が２０〜３０％と低く、結果として７０〜８０％の塗料を捨ていることとなり、塗料のこのような利用効率の低さが問題であった。
【０００５】
また、フッ素樹脂は塗装も難しく、１回に２０〜３０μｍの膜を形成するように塗布すると、塗料がはじかれて表面欠陥ができてしまうので、このような欠陥を防止するためには薄い層を何層も重ねるようにして塗装する必要があり、手間と時間もかかると云う問題があった。
【０００６】
一方、これらの欠点を補う工法として浸漬塗装法が考えられる。この方法では塗料を容れた液槽に被塗装物を浸したのち、引き上げることで塗料を被塗装物に付着させてその表面に塗膜を形成する方式であるため、塗着効率は９０％以上と非常によく、塗料の無駄が少ない。しかし、この方式では、液槽には被塗装物が完全に浸るだけの液量が必要となり、例えば電子写真の原理を用いた複写機やプリンタに用いられるベルト状やローラ形状の部品を、その軸方向に完全に浸すと液層の大きさは４００ｍｍ程度の深さが必要となり、液槽が大きくなって大量の塗料が必要になると云う問題がある。
【０００７】
これらの欠点を回避すべく考案されたのが、特公平８−２３６９８号公報（特許文献１）で提案されたような、液槽部をシールして被塗装物に対して相対的に動かすことにより少ない塗料必要量で浸漬塗装を実現する方式である。上記公報記載の事例では連続的に塗装する例であるが、このリングコートは連続的ではなく例えばここの被塗装物を一つずつに塗装する場合にもこの方式を応用することができる。
【０００８】
しかしながら、この場合の問題点としては被塗装物を塗装している時はそれとシール部材により液漏れを防ぐことができるが、塗装が終了し被塗装物を外してしまうと塗料が漏れることとなる。このため、被塗装物と同径のマスクを用いて塗装が終了した場合であっても塗料がこぼれないようにシールが形成されるようにしている。
【０００９】
しかし上記の方式では被塗装物にシール部材が接触しながら液槽が下降するため、被塗装物の表面に異物が付着しているとシール部材と被塗装物との間に挟まり、塗料が掻きとられ、被塗装物の軸方向に線状に塗膜が形成されない部分が生じる問題がある。
【００１０】
このような問題を回避するためには異物の付着がないように、塗装環境全体をクリーン化することで対応可能であるが、このとき、建屋・空調等付帯設備も大型化し、設備コストが著しく上昇すると云う問題が生じる。
【特許文献１】特公平８−２３６９８号公報
【発明の開示】
【発明が解決しようとする課題】
【００１１】
本発明は、上記した従来の問題点を改善する、すなわち、建屋・空調等付帯設備の大型化が不要で、設備コストが低廉な、異物の付着による塗装不良の発生が防止され、安定した塗装が可能な塗膜形成装置を提供することを目的とする。
【課題を解決するための手段】
【００１２】
本発明の塗膜形成装置は上記課題を解決するため、請求項１に記載の通り、円筒形状または円柱形状の被塗装物の外側の被塗装面に対して塗料を塗布して塗膜を形成する塗膜形成装置であって、前記被塗装物をその軸を鉛直方向に保持する被塗装物保持部、内部に前記塗料を収納するとともに、前記被塗装物保持部により保持された前記被塗装物を内側に通すための円形の切り欠き部を備えて、下方へ移動しながら該切り欠き部付近に位置する部分の前記被塗装物の外側面に塗料を塗布する環状塗布ヘッド、及び、前記切り欠き部に設けられて前記被塗装物の被塗装面を摺動し、前記切り欠き部と前記被塗装面との間からの塗料の漏出を防止するシール部、及び、前記環状塗布ヘッドの動きに従動して前記被塗装物の被塗装面全周を摺動しながら該被塗装面の異物を除去する、軟質部材からなる環状のブレードを前記環状塗布ヘッドの下方に備えた異物除去部、を備えた塗膜形成装置である。
【００１３】
また、本発明の塗膜形成装置は、請求項２に記載の通り、請求項１記載の塗膜形成装置において、前記環状のブレードがフッ素ゴムからなることを特徴とする。
【００１４】
また、本発明の塗膜形成装置は、請求項３に記載の通り、請求項１または請求項２に記載の塗膜形成装置において、環状のブレードの被塗装物の被塗装面を摺動する摺動部が、軟質部材からなる板状部材を前記被塗装物の被塗装面の外径より小さい内径となるよう、該板状部材の面に対して垂直に切断されてなることを特徴とする。
【００１５】
また、本発明の塗膜形成装置は、請求項４に記載の通り、請求項３に記載の塗膜形成装置において、前記環状のブレードの、被塗装物の被塗装面を摺動する摺動部付近の部分が粘着性を有していることを特徴とする。
【００１６】
また、本発明の塗膜形成装置は、請求項５に記載の通り、請求項１ないし請求項４のいずれか１項に記載の塗膜形成装置において、前記異物除去部が上記環状のブレードを複数備えていることを特徴とする。
【００１７】
また、本発明の塗膜形成装置は、請求項６に記載の通り、請求項１ないし請求項５のいずれか１項に記載の塗膜形成装置において、前記異物除去部の上記環状のブレードが脱着可能であり、かつ、該ブレードを所定の位置に装着可能とする位置決め機構が備えられていることを特徴とする。
【００１８】
また、本発明の塗膜形成装置は、請求項７に記載の通り、請求項１ないし請求項６のいずれか１項に記載の塗膜形成装置において、前記ブレードに付着した異物を除去するブレード異物除去手段が備えられていることを特徴とする。
【発明の効果】
【００１９】
本発明の塗膜形成装置は、塗装環境全体をクリーン化するための建屋・空調等付帯設備の大型化が不要となり、設備コストが低廉な、異物の付着による塗装不良の発生が防止され、安定した塗装が可能で加工品質が高い塗膜形成装置である。
【００２０】
また、請求項２に記載の塗膜形成装置では上記効果に加えて、ブレードの材質をフッ素ゴムとすることで、溶剤系塗料が使用できて塗料選択の幅が広がり、耐摩耗性も高くなるのでブレードの長寿命化が可能となって、交換頻度も少なくなるので、低コスト化が可能となる。
【００２１】
また、請求項３に記載の塗膜形成装置では上記効果に加えて、被塗装物表面にブレードが円周状に線接触することで、面接触する場合よりもブレード先端の接触圧力が増すために異物をより掻き落としやすくなり、清掃性が向上し、より高い異物除去能が得られる。
【００２２】
また、請求項４に記載の塗膜形成装置では上記効果に加えて、ブレードの一方の面の、稜線部付近の部分が粘着性を有するので、この部分で被塗装物表面から掻き落とした異物を保持することでブレードの交換頻度を減らすことが可能となるので、設備稼働率が向上する。
【００２３】
また、請求項５に記載の塗膜形成装置では上記効果に加えて、異物除去部が複数のブレードを有するので、より高い異物除去能力が得られ、不良の発生をより効果的に防止することができるとともに、ブレードの交換頻度をさらに減らすことが可能となるので、設備稼働率が向上する。
【００２４】
また、請求項６に記載の塗膜形成装置では上記効果に加えて、前記異物除去部の上記環状のブレードが脱着可能であり、かつ、ブレードを所定の位置に装着可能とする位置決め機構を有するので、ブレードの交換を行っても、水平方向の位置ずれなしに再度取り付けることができ、ブレードの取り付け位置不正による異物除去能力不足を確実に防止することができるとともに、ブレードの取り付けが容易となり、その取り付け時間を短縮することができて設備稼働率が向上する。
【００２５】
また、請求項７に記載の塗膜形成装置では上記効果に加えて、ブレードに付着した異物を除去することができるので、ブレードの清掃や交換、及び、それらに伴う除去及び取り付け時間が不要となって設備稼働率が向上する。
【発明を実施するための最良の形態】
【００２６】
本発明の塗膜形成装置において、塗布対象となるのは外側の被塗装面が円筒状の物品であり、このような物として円筒形状または円柱形状の被塗装物が挙げられ、これらには無端状ベルト、無端状フィルムなどの柔軟な無端状物も含まれる。ここで、これら柔軟な材料からなる無端状物の場合には、内部ないし端部に円筒形状または円柱形状の型をセットする等により、円筒形状または円柱形状の被塗装物同様に塗布対象とすることができる。
【００２７】
ここで、このような無端状ベルトの一例として、図１には電子写真装置の定着装置に用いられる定着ベルトの構成を示すモデル図を示す。この例では、ポリイミドなどからなる耐熱性樹脂、あるいは、金属などからなるベルト基材１の外周面上にプライマ層４を介してシリコーンゴムなどの耐熱性を有するエラストマーからなる弾性層２、さらにプライマ層４を介して、この例ではフッ素系樹脂からなる離型層３が、それぞれ形成されている。ここで、本発明の塗膜形成装置はこのような定着ベルトの、フッ素系樹脂からなる離型層３の形成時に好適に応用できる。
【００２８】
以下、本発明の塗膜形成装置について、図を用いて説明する。図２及び図３は本発明の塗膜形成装置の主要部のモデル断面図であり、図２は無端状ベルトである定着ベルト中間素材（被塗装物５）の外表面に、フッ素系樹脂塗料を塗布している途中の状態を、図３は塗布終了直後の状態を、それぞれ示す。
【００２９】
円筒状の被塗装物５はこの例では離型層以外はすでに形成されている定着ベルト中間素材（無端状ベルト）であり、柔軟な素材からなるが、図２（ｂ）にモデル的に断面図を示すような、両端に差し込み小径部１８ａと、該小径部のそれぞれに環状のシール部（この場合はＯリング）２１を有する補助円筒１８を、その両端に差しこむことにより筒形状が維持される。このように両端に補助円筒１８をセットされた被塗装物５は、その補助円筒１８を被塗装物保持部として塗膜形成装置の図示しないチャックによって保持し、マンドレルによってその軸を鉛直方向に保持させる。ここで、被塗装物保持部としては被塗装物をその軸を鉛直方向に保持させることができればよく、上記チャック及びマンドレル以外の手段、例えば円柱状のスタンド等を用いても良い。
【００３０】
図２及び図３に示すのは、円筒形状または円柱形状の被塗装物５の外側の被塗装面５ａに対して塗料を塗布して塗膜を形成する塗膜形成装置であって、被塗装物５をその軸を鉛直方向に保持する被塗装物保持部と、内部に塗料７を収納するとともに、被塗装物保持部により保持された被塗装物５を内側に通すための円形の切り欠き部６ａを備えて、下方へ移動しながら切り欠き部６ａ付近に位置する部分の前記被塗装物５の外側面に塗料７を塗布する環状塗布ヘッド６と、切り欠き部６ａに設けられて被塗装物５の被塗装面５ａを摺動し、切り欠き部６ａと被塗装面５ａとの間からの塗料７の漏出を防止するシール部と、環状塗布ヘッド６の動きに従動して被塗装物５の被塗装面５ａ全周を摺動しながら被塗装面５ａの異物を除去する、軟質部材からなる環状のブレードを環状塗布ヘッド６の下方に備えた異物除去部αと、を備えた塗膜形成装置である。
【００３１】
図２及び図３中符号５ｂは塗装されて形成された塗膜である。
【００３２】
被塗装物５は補助円筒１８により、塗膜形成装置の所定の位置に上述のようにその軸が鉛直方向に一致するようにセットされる。
【００３３】
環状塗布ヘッド６は環状の液槽であり、符号７で示す塗料（本例ではフッ素樹脂のディスパージョン）が容れられている。液槽底部には塗料供給管が設けられ、この塗料供給管から図中Ａの矢印で示したように、図示しない送液ポンプなどの塗料定量供給装置を介して図示しない塗料タンクから塗料が供給される。
【００３４】
環状塗布ヘッド６の上にはその液槽全体を覆うカバー８が取り付けられ、塗料（あるいはその成分）の揮発やごみの混入を防止する。カバー８には下方に突出する凸状の壁９が設けられて環状塗布ヘッド６の塗料の液中まで到達しており、環状塗布ヘッド６の液槽の縁と凸状の壁９とで形成される空間１０は、環状塗布ヘッド６の塗料中に気泡が発生した場合に、その気泡が被塗布物５表面へ気泡が達しないように保持するトラップ部となる（ここで、気泡を含む塗料が被塗布物５に塗布されると、均一な塗膜の形成の妨げとなることがある）。
【００３５】
環状塗布ヘッド６内の液面の高さは変位センサ１１で測定が可能であり、変位センサ１１としては、例えば超音波式のセンサを用いることができる。このような変位センサ１１で液面を検出し、後述するように上述の図示しない送液ポンプを制御して液面を一定に保つ。
【００３６】
環状塗布ヘッド６には円形の切り欠き部６ａが設けられ、この部分の内側に前記被塗装物保持部により保持された被塗装物５を通すことができる。
【００３７】
円形の切り欠き部６ａに設けられた環状のシール１２（ゴムなどの柔軟な素材からなる）は、被塗装物５の被塗装面５ａあるいは補助円筒１８の表面を摺動し、切り欠き部６ａと被塗装面５ａあるいは補助円筒１８との間からの塗料の漏出を防止する。なお、被塗装物５の中心軸と、環状のシール１２の中心は完全に一致することがより高い液漏れ防止効果が得られるので好ましい。本例では後述するようにボールローラ１５により両者の中心が容易に一致するようになっている。
【００３８】
上記環状塗布ヘッド６の下方への動きに従動して被塗装物５の被塗装面５ａ全周を摺動しながら下方へ移動し、その際、被塗装面５ａに付着している異物を除去する（掻き取る）、軟質部材からなる環状のブレード１３とブレード固定ベース１４とからなる異物除去部αが環状塗布ヘッド６の下方に設けられている。
【００３９】
ブレード１３は軟質材料からなるが、その中でも弾性材料からなることが好ましく、塗料として特に溶剤系塗料を使用する場合を想定すると、フッ素ゴムからなることが耐久性の点で望ましい。
【００４０】
ここで、このような装置において、被塗装物５の表面に付着しやすい異物としては、塗装雰囲気中に漂う埃や塗装後の補助円筒１８の表面に固着した塗料かすが補助円筒の交換時に落下したものが挙げられる。
【００４１】
環状塗布ヘッド６が下降するにつれ、ブレード１３先端の接触部は被塗装物５の被塗装面５ａに接触しながら摺動し、ブレード１３の先端部に被塗装面５ａに付着した異物が引っ掛かり、被塗装面５ａの表面から脱離しされ、あるいは、ブレード１３の先端部分に付着してそこで溜まることで被塗装物５の被塗装面５ａ全体の異物を塗装直前に効果的に除去することができる。またブレード１３を複数にすることでさらに異物除去効果を高めることが可能となる。
【００４２】
ここで図４にモデル的に示すように環状のブレード１３の被塗装物５の被塗装面５ａを摺動する摺動部が、軟質部材からなる板状部材を被塗装物５の被塗装面５ａの外径より小さい内径となるよう、板状部材の面に対して垂直に切断してなるときには、板状部材の一方の面と切断面との間の稜線部のみが、被塗装物５の被塗装面５ａに接触しながら摺動するようになる。このように、ブレード１３の内周の先端の接触部が被塗装物５の被塗装面５ａと線接触しながら摺動することで、異物の巻き込みを低減することが可能となり、より効果の高い異物除去が可能となる。さらに、異物除去部αが環状のブレード１３を複数備えることにより効果の高い異物除去が可能となる。
【００４３】
また、図５にモデル的に示すように、ブレード１３の上記一方の面の、稜線部付近の部分に粘着部１９（例えば両面粘着テープを取り付ける、粘着剤を塗布する等による）を設けて粘着性を付与させることにより、ブレード１３の異物保持性を向上させることにより、ブレード１３の交換回数や清掃をさらに減らすことが可能となる。
【００４４】
ここで、ブレード１３は脱着可能とすることで、交換が可能となり、より完全な清掃が可能となるが、このとき、例えば装置側やブレード固定ベースに位置決めピンを設けるとともにブレード１３にこのピンに対応する孔を設ける、あるいは、装置側やブレード固定ベースに位置決め凸部を設けるとともにブレード１３にこの凸部に対応する凹部を設ける等の、位置決め機構を設けることにより、ブレード１３の取り外し後の再取り付けの際に、ブレードの取り付け位置不正（特に図２中横方向のずれ）による異物除去能力不足を確実に防止することができるとともに、ブレードの正確な箇所への取り付けが容易となり、取り付け時間を短縮することができて設備稼働率が向上する。
【００４５】
次にこのような塗膜形成装置を用いた塗装動作を説明する。
【００４６】
図２（ａ）において、環状塗布ヘッド６は一軸アクチュエータ１７により被塗装物５である定着ベルト５の被塗装面５ａの途中までの塗装が行われた状態が示されている。
【００４７】
被塗装物５はその両端に嵌装された補助円筒１８が図示しないチャック（被塗装物保持部）１８により両端が保持され、その軸が垂直になるようにして装置のマンドレルに固定する。
【００４８】
一軸アクチュエータ１７によりベース板１６および環状塗布ヘッド６を徐々に下方へ移動させながら、被塗装物５の塗装開始の位置に環状塗布ヘッド６を位置決めする。
【００４９】
その後、一軸アクチュエータ１７により、ベース板１６および環状塗布ヘッド６上から下方向に移動させることで被塗装物５の被塗装面５ａを環状塗布ヘッド６内の塗料７に接触させながら塗装する。
【００５０】
環状塗布ヘッド６はボールローラ１５より支持されるフローテイング構造を有しているため、塗装時には、環状シール１２の中心が被塗装物５の中心軸と一致するように自動的にセンタリングされる。
【００５１】
ブレード１３は、ブレード固定ベース１４を介して、ベース板１６に締結されている。またベース板１６とブレード固定ベース１４は図示しない位置決めピン及びそれに対応する位置決め孔により位置決めされてベース板１６に固定されており、脱着時に再現性が確保できるようになっていて、再送着後も安定した異物除去性が得られるようになっている。
【００５２】
また、図２（ｂ）及び図３ではブレード１３を２個用いている例を示したが、ブレード１３は２個ないしそれ以上の複数個を重ねあわせて使用することで異物除去性が向上する。さらにブレード１３の先端部に粘着性を持たせることで、除去した異物を保持できるためにブレード１３の交換や清掃回数を減らして、繰り返し使用可能とすることができる。
【００５３】
図３は、環状塗布ヘッド６がほぼ最終下降位置まで達した状態を示す。環状塗布ヘッド６が下降して、塗料７の液面上に被塗布物５の被塗布面５ａが全部位置するようになったら、補助円筒１８から塗布作業が終了した被塗布物５を、チャックを解除して塗膜形成装置のマンドレルから外すことができる。
【００５４】
図６及び図７にモデル的に示すように、最終下降位置時の円形ブレードに付着した異物を除去するブレード異物除去手段２０（これらにはエアーを吸引することにより異物を除去する例を示したが、他の方法、たとえば拭き取って除去しても良い）を設けることにより、ブレードに付着した異物を除去することができるので、ブレードの清掃や交換、及び、それらに伴う除去及び取り付け時間が不要となって設備稼働率が向上する。
【００５５】
被塗布物５をマンドレルから外した後、その後、環状塗布ヘッド６は補助円筒１８に環状シール１２とブレード１３とが接した状態で補助円筒１８と共に一軸アクチュエータ１７によって次の被塗装物５の塗装開始位置まで上昇させて待機させる。
【００５６】
この上昇動作中に液面検出用の変位センサ１１によって液面を測定し、塗装により減少したのと同量の塗料を塗料定量供給装置より供給することで環状塗布ヘッド６は塗装開始前に常に同量で、かつ、塗料液面の高さが一定の塗料を蓄えていることとなり、塗装を繰り返し行っても安定した塗装が可能となる。
【００５７】
塗料供給時に塗料中に気泡が混入した場合は、前述の空間１０にトラップされる。カバー８に下方に向かって液中まで没する壁９が設けてあるので、気泡は円形の切り欠き部６ａ側へ達することが防止されているので、このような気泡は被塗装物の表面に触れることがないので、気泡による塗装斑が予め防止されている。
【産業上の利用可能性】
【００５８】
本発明の塗膜形成装置は、設備コストが低廉な、異物の付着による塗装不良の発生が防止され、安定した塗装が可能な塗膜形成装置であるので、定着ベルトなどの円筒形状または円柱形状の被塗装物の外側の被塗装面に対して塗料を塗布して塗膜を形成する用途に広く用いることができる。
【図面の簡単な説明】
【００５９】
【図１】本発明の塗膜形成装置による塗膜形成により、塗布可能な被塗装物の一例として、電子写真装置の定着装置に用いられる定着ベルトの構成を示すモデル図である。
【図２】本発明の塗膜形成装置の主要部のモデル断面図である。（ａ）塗布工程途中の状態を示す図である。（ｂ）被塗装物下端付近のモデル拡大断面図である。
【図３】本発明の塗膜形成装置の主要部のモデル断面図であり、塗布工程終了直前の状態を示す図である。
【図４】環状のブレード付近のモデル拡大断面図である。
【図５】粘着性を部分的に付与させた環状のブレード付近のモデル拡大断面図である。
【図６】異物除去手段２０の一例を示すモデル図である。
【図７】異物除去手段２０の一例を示すモデル斜視図である。
【符号の説明】
【００６０】
１    ベルト基材
２    弾性層
３    離型層
４    プライマ層
５    被塗装物
５ａ  被塗装面
５ｂ  塗膜
６    環状塗布ヘッド
６ａ  円形の切り欠き部
７    塗料
８    カバー
９    壁
１０    空間
１１    変位センサ
１２    環状のシール
１３    環状のブレード
１４    ブレード固定ベース
１５    ボールローラ
１６    ベース板
１７    一軸アクチュエータ
１８ａ  差し込み小径部
１８    補助円筒
１９    粘着部
２０    ブレード異物除去手段
２１    シール部
【図１】
2008068236.tif 000003
【図２】
2008068236.tif 000004
【図３】
2008068236.tif 000005
【図４】
2008068236.tif 000006
【図５】
2008068236.tif 000007
【図６】
2008068236.tif 000008
【図７】
2008068236.tif 000009